(57)【要約】【課題】普及型のデジタルカメラであっても、必要な場合に高級機並みに画像の高画質化を図ることができるようにする。【解決手段】デジタルカメラ２により取得された画像データＳ０に対して画像処理を施す画像処理装置１をデジタルカメラ２に接続する。この状態で、デジタルカメラ２の操作手段２４により画像処理装置１の操作が可能となる。操作手段２４を操作して、データメモリ２８に記憶された画像データＳ０を画像処理装置１に出力し、ここで画像処理を行って処理済み画像データＳ１を取得する。処理済み画像データＳ１はデジタルカメラ２に入力され、表示手段２６に表示されるとともに、データメモリ２８に記憶される。【選択図】　　　　　図１
2004120422.tif 000002
【特許請求の範囲】
【請求項１】
撮像により画像データを取得する撮像手段、該画像データを記憶する記憶手段、該画像データを表示する表示手段並びに少なくとも前記撮像手段による撮像動作および前記表示手段への前記画像データの表示操作を行わせるための操作入力を行う操作手段を備えたデジタルカメラと接続するデジタルカメラ接続手段と、
前記記憶手段から前記画像データを取得する画像データ取得手段と、
該画像データに対して所定の画像処理アルゴリズムに基づいて画像処理を施して処理済み画像データを取得する画像処理手段と、
前記デジタルカメラの前記操作手段に、前記画像データ取得手段および前記画像処理手段の操作を行わせ、前記表示手段に前記処理済み画像データを表示させるよう、前記デジタルカメラ、前記画像データ取得手段および前記画像処理手段を制御する制御手段とを備えたことを特徴とする画像処理装置。
【請求項２】
前記画像処理手段が、前記画像処理アルゴリズムを書き換え可能なチップ手段からなることを特徴とする請求項１記載の画像処理装置。
【請求項３】
前記デジカメ接続手段を介して、前記デジタルカメラを充電する充電手段をさらに備えたことを特徴とする請求項１または２記載の画像処理装置。
【発明の詳細な説明】
【０００１】
【発明の属する技術分野】
本発明は、デジタルカメラにより取得された画像データに対して画像処理を施して処理済み画像データを取得する画像処理装置に関するものである。
【０００２】
【従来の技術】
デジタルスチルカメラ（以下デジタルカメラとする）において、撮像により取得した画像データを、デジタル画像データとしてデジタルカメラ内部に設けられた内部メモリやＩＣカード等の記録媒体に記録し、記録されたデジタル画像データに基づいて、プリンタやモニタに撮像により取得した画像を表示することができる。ここで、デジタルカメラにより取得した画像をプリントする場合においては、ネガフイルムからプリントされた写真と同様の高品位な画質を有することが期待されている。
【０００３】
このため、デジタルカメラにより取得した画像データをプリント出力するサービスを提供する写真店においては、濃度変換処理、ホワイトバランス調整処理、階調変換処理、彩度強調処理およびシャープネス処理等の種々の画像処理を画像データに対して施すことにより、プリントの画質を向上させている。また、写真店においては、高機能の階調変換処理、赤目補正処理、デジタルカメラのレンズの歪曲収差を補正する処理および光の反射によるクロス状の反射光を除去する処理等の高機能画像処理を画像データに対して施すことにより、プリントのより一層の高画質化を図っている。
【０００４】
ところで、上述したような写真店において行われる画像処理を、デジタルカメラのユーザが自分で行いたいという要望がある。このため、内部に画像処理アルゴリズムを記憶したＤＳＰを設け、撮像により取得した画像データに対して画像処理を施すようにしたデジタルカメラが提案されている（特許文献１参照）。特許文献１のデジタルカメラは、ＤＳＰに記憶された画像処理アルゴリズムが書き換え可能とされているため、画像処理アルゴリズムを書き換えることにより、最新の画像処理アルゴリズムにより画像処理が施された高画質の画像を再生可能な処理済み画像データを得ることができる。
【０００５】
また、デジタルカメラに画像処理を実行する機能を持たせることなく、画像処理を行うコンピュータを複数接続したネットワークにデジタルカメラを接続し、ネットワーク上のコンピュータにおいてデジタルカメラにより取得した画像データに対して画像処理を実行させるようにしたネットワークシステムも提案されている（特許文献２参照）。
【０００６】
【特許文献１】
特開平７−２２６９１１号公報
【０００７】
【特許文献２】
特開平１１−３０６１１９号公報
【０００８】
【発明が解決しようとする課題】
しかしながら、特許文献１に記載されたデジタルカメラは、内部に画像処理を実行するための手段を有するため、デジタルカメラの構成が複雑となり、価格も高価になるという問題がある。また、特許文献２に記載されたネットワークシステムにおいても、デジタルカメラにネットワーク接続するための手段を設ける必要があるため、特許文献１と同様にデジタルカメラの構成が複雑となり、価格も高価になるという問題がある。
【０００９】
なお、ＤＳＰは低コスト化および性能の向上が著しく、画像処理アルゴリズムを記憶したＤＳＰをデジタルカメラに搭載することにより、安価に画像処理を実行させるためのデジタルカメラを提供できる。しかしながら、ＤＳＰをデジカメに搭載するためには、その周辺にＤＳＰを接続するための回路や配線が必要となるため、やはりデジタルカメラの構造の複雑化および高価格化は避けることができない。
【００１０】
一方、２００〜３００万画素程度のデジタルカメラは、ユーザにとって入手することが比較的容易であるため、その普及は著しい。しかしながら、このような普及型のデジタルカメラに上述したように画像処理機能や通信機能を付加することにより高価格となると、ユーザがデジタルカメラの購入を控えてしまい、デジタルカメラの普及が阻害されるという問題もある。
【００１１】
その一方で、普及型のデジタルカメラを有するユーザであっても、やはり自身で取得した画像データを、高級機並みに高画質なものにしたいという要望がある。
【００１２】
本発明は上記事情に鑑みなされたものであり、普及型のデジタルカメラであっても、必要に応じて高級機並みに画像の高画質化を図ることができるようにすることを目的とする。
【００１３】
【課題を解決するための手段】
本発明による画像処理装置は、撮像により画像データを取得する撮像手段、該画像データを記憶する記憶手段、該画像データを表示する表示手段並びに少なくとも前記撮像手段による撮像動作および前記表示手段への前記画像データの表示操作を行わせるための操作入力を行う操作手段を備えたデジタルカメラと接続するデジタルカメラ接続手段と、
前記記憶手段から前記画像データを取得する画像データ取得手段と、
該画像データに対して所定の画像処理アルゴリズムに基づいて画像処理を施して処理済み画像データを取得する画像処理手段と、
前記デジタルカメラの前記操作手段に、前記画像データ取得手段および前記画像処理手段の操作を行わせ、前記表示手段に前記処理済み画像データを表示させるよう、前記デジタルカメラ、前記画像データ取得手段および前記画像処理手段を制御する制御手段とを備えたことを特徴とするものである。
【００１４】
「操作手段」としては、デジタルカメラに対して、撮影、フラッシュの設定、画像の表示、表示する画像の切り替え、画像の削除、トリミングの指定、プリントの設定等、デジタルカメラが有する機能を発揮させるための操作を行う手段であり、具体的にはデジタルカメラに設けられたレリーズボタン、十字キーおよび種々の操作ボタンのことをいう。
【００１５】
「デジタルカメラ接続手段」としては、デジタルカメラが有する外部機器を接続する規格に対応してデジタルカメラと画像処理装置とを接続するための手段であり、具体的には、ＵＳＢ機器を接続するＵＳＢコネクタ、ＩＥＥＥ１３９４規格のコネクタ等を用いることができる。
【００１６】
「画像処理」としては、画像データを高画質にするためのあらゆる処理を含むものであり、具体的には、濃度変換処理、ホワイトバランス調整処理、階調変換処理、彩度強調処理およびシャープネス処理等の一般的な画像処理のみならず、高機能の階調変換処理、赤目補正処理、デジタルカメラのレンズの歪曲収差を補正する処理および光の反射によるクロス状の反射光を除去する処理等の高機能画像処理も画像処理に含むものである。なお、デジタルカメラの機種によっては、デジタルカメラ内で標準的に濃度変換処理、ホワイトバランス調整処理および階調変換処理等を施す機能を有するものがある。デジタルカメラがこのような機能を有する場合には、さらにこれらの処理を画像処理に加えるのみならず、高機能画像処理のみを行うようにしてもよい。
【００１７】
なお、本発明による画像処理装置においては、前記画像処理手段を、前記画像処理アルゴリズムを書き換え可能なチップ手段からなるものとしてもよい。
【００１８】
また、本発明による画像処理装置においては、前記デジカメ接続手段を介して、前記デジタルカメラを充電する充電手段をさらに備えるものとしてもよい。
【００１９】
【発明の効果】
本発明による画像処理装置はデジタルカメラに接続される。画像処理装置がデジタルカメラに接続されると、デジタルカメラの操作手段に画像データ取得手段および画像処理手段の操作を行わせるように、デジタルカメラが制御手段により制御される。これにより、デジタルカメラの操作手段を用いて、デジタルカメラの記憶手段からの画像データの取得、取得された画像データに対する画像処理および画像処理により取得された処理済み画像データのデジタルカメラの表示手段への表示を、デジタルカメラの操作手段を用いて行うことができる。
【００２０】
このため、デジタルカメラに画像処理を行う手段を設けなくても、画像処理を所望するデジタルカメラのユーザは、本発明による画像処理装置を用意すれば、デジタルカメラにより取得した画像データに対して画像処理を施して、高画質の処理済み画像データを得ることができる。したがって、必要なユーザのみ、本発明による画像処理装置を用意すれば、普及型のデジタルカメラの構成を複雑化することなく、さらには高価格化させることなく、高級機並みに画像データを高画質化できることとなる。
【００２１】
また、画像処理装置に画像処理の操作を行うための操作手段を設ける必要がなくなるため、画像処理装置の構成も簡易なものとすることができる。
【００２２】
また、画像処理手段を、画像処理アルゴリズムを書き換え可能なチップ手段からなるものとすることにより、日々改良される画像処理アルゴリズムを常に最新のものとすることができるため、最新の画像処理アルゴリズムにより、一層の高画質化を図ることが可能な画像処理を画像データに対して施すことができる。また、画像処理手段をチップ手段とすることにより、画像処理装置を小型化することができるため、画像処理装置の携帯に便利である。
【００２３】
また、デジタルカメラに充電を行う充電手段を設けることにより、デジタルカメラの充電中に、デジタルカメラにより取得した画像データに対して画像処理を施すことが可能となる。したがって、デジタルカメラのユーザは、画像処理を実行するという意識を持たなくても、日々必ず行う充電作業の中で画像処理を行うことができることとなる。
【００２４】
【発明の実施の形態】
以下図面を参照して本発明の実施形態について説明する。図１は本発明の第１の実施形態による画像処理装置を接続したデジタルカメラの構成を示す概略ブロック図、図２はデジタルカメラの背面側斜視図である。図１に示すように、本実施形態による画像処理装置１は、デジタルカメラ２に接続されてなるものである。
【００２５】
画像処理装置１は、後述するデジタルカメラの接続インターフェースに接続される入出力インターフェース１１と、デジタルカメラ２から画像処理装置１を駆動させるための電力の供給を受ける電源手段１２と、作業領域となるメモリ１３と、画像処理アルゴリズムを記憶したＤＳＰ１４と、入出力インターフェース１１、電源手段１２、メモリ１３、ＤＳＰ１４および後述するようにデジタルカメラ２との接続時に、デジタルカメラ２の操作手段による操作により画像処理装置１を駆動できるようにデジタルカメラ２を制御する制御手段１５とを備える。
【００２６】
入出力インターフェース１１は、デジタルカメラ２の接続インターフェースの規格に応じた規格を有する。例えば、デジタルカメラ２の接続インターフェースの規格がＵＳＢであればＵＳＢの規格を有し、ＩＥＥＥ１３９４の規格であれば、ＩＥＥＥ１３９４の規格を有する。なお、画像処理装置１とデジタルカメラ２との接続は、規格に応じたケーブルを用いて有線により行ってもよいが、入出力インターフェース１１を規格に応じたコネクタの形状を有するものとして、画像処理装置１をデジタルカメラ２に直接接続してもよい。また、ブルーツースのような近距離無線通信により画像処理装置１とデジタルカメラ２とを無線により接続してもよい。
【００２７】
電源手段１２は、画像処理装置１がデジタルカメラ２と接続されると、画像処理装置１を駆動するための電力をデジタルカメラ２のバッテリーから取得するよう制御手段１５により制御される。
【００２８】
ＤＳＰ１４は、画像処理アルゴリズムを記憶する書き換え可能なチップである。本実施形態においては、ＤＳＰ１４に記憶された画像処理アルゴリズムは、画像データに対して、濃度変換処理、ホワイトバランス調整処理、階調変換処理、彩度強調処理およびシャープネス処理等の一般的な画像処理、さらには、高機能の階調変換処理、赤目補正処理、デジタルカメラ２のレンズの歪曲収差を補正する処理および光の反射によるクロス状の反射光を除去する処理等の高機能画像処理を施すものである。ＤＳＰ１４は、これらの処理を実行して処理済み画像データを取得するよう、制御手段１５によりその駆動が制御される。
【００２９】
なお、デジタルカメラ２からの画像データＳ０の取得、画像処理の指示、および処理済み画像データのデジタルカメラ２での表示の指示は、デジタルカメラ２の操作手段２４により行うよう、デジタルカメラ２が制御手段１５により制御される。
【００３０】
デジタルカメラ２は、撮像により被写体の画像を表す画像データＳ０を取得する撮像手段２１と、デジタルカメラ２全体の制御を行うとともに画像データＳ０の記録制御および表示制御等を行う制御手段２２と、表示のために画像データＳ０を記憶するフレームメモリ２３と、レリーズボタン２４Ａ、十字キー２４Ｂ、モード切替手段２４Ｃおよび各種操作ボタン２４Ｄを有する操作手段２４と、撮像手段２１において取得された画像データをＪＰＥＧに代表される手法で圧縮したり、圧縮したデータを解凍する処理を行う圧縮解凍手段２５と、画像データＳ０、画像処理装置１において取得された処理済み画像データＳ１および種々の情報を表示する液晶モニタ等からなる表示手段２６と、デジタルカメラ２を駆動するための電力を供給するバッテリー２７と、画像データＳ０および処理済み画像データＳ１を記憶するデータメモリ２８と、画像処理装置１等の外部装置を接続する接続インターフェース２９とを備える。
【００３１】
撮像手段２１は、撮影レンズ、ズーム機構、シャッタ、ＣＣＤ等を有し、シャッタの駆動により被写体を撮影して被写体の画像を表す画像データＳ０を得る。
【００３２】
制御手段２２には、動作プログラム等が記憶されているＲＯＭと、プログラム実行時の作業領域となる記憶手段であるＲＡＭにより構成されているメモリ２２Ａが接続されている。
【００３３】
操作手段２４のモード切替手段２４Ｃは、デジタルカメラ２のモードを撮影モードおよび再生モードに切り替える。撮影モードは撮像手段２１を用いての被写体の撮影を行うモードであり、再生モードは撮影により取得してデータメモリ２８に記憶された画像データＳ０を表示手段２６に表示するモードである。なお、接続インターフェース２９に画像処理装置１が接続されると、デジタルカメラ２のモードは画像処理モードに切り替わる。
【００３４】
図３は、各モードにおける操作手段２４の機能を示すテーブルである。図３に示すように、撮影モードの場合には、レリーズボタン２４Ａはシャッタ駆動、十字キー２４Ｂはズーム切り替え、操作ボタン２４Ｄは表示手段２６に表示する表示内容（撮影日時、撮影範囲を定める枠）の表示および非表示の切り替えを行う。
【００３５】
再生モードの場合には、レリーズボタン２４Ａは何ら機能がなく、十字キー２４Ｂはトリミングの指定および表示する画像の切り替え、操作ボタン２４Ｄは画像表示モードおよびトリミングモードの切り替えを行う。さらに操作ボタン２４Ｄは、トリミングモード時における拡大縮小モードおよび枠の移動モードの切り替えを行う。
【００３６】
画像処理モードの場合には、レリーズボタン２４Ａは処理内容の確定、十字キー２４Ｂは処理量の増減、操作ボタン２４Ｄは処理内容の変更を行う。
【００３７】
次いで、本実施形態の動作について説明する。まず、デジタルカメラ２において撮影時に行われる処理について説明する。図４は、デジタルカメラ２において撮影時に行われる処理を示すフローチャートである。なお、撮影はモード切替手段２４Ｃを撮影モードに切り替えることにより行われる。まず、撮像手段２１において被写体の撮影が行われて画像データＳ０が取得されフレームメモリ２３に記憶されるとともに（ステップＳ１）、表示手段２６に表示される（ステップＳ２）。
【００３８】
ここで、撮影時においては、ユーザは十字キー２４Ｂを操作することによりズーム操作を行うことができ、レリーズボタン２４Ａを押下することにより、撮影を行うことができる。また、操作ボタン２４Ｄを押下することにより、表示手段２６に表示される表示内容の表示および非表示を切り替えることができる。
【００３９】
そして、予め設定された表示のための所定時間（２秒程度）が経過したか否かの監視が開始され（ステップＳ３）、ステップＳ３が肯定されると、フレームメモリ２３に記憶された画像データＳ０がデータメモリ２８に記憶され（ステップＳ４）、処理を終了する。
【００４０】
一方、モード切替手段２４Ｃを再生モードに切り替えると、データメモリ２８に記憶された画像データＳ０が表示手段２６に表示される。この状態において、十字キー２４Ｂを操作すると、画像データＳ０を撮影順に切り替えて表示手段２６に表示することができる。また、操作ボタン２４Ｄを押下してトリミングモードに切り替えて十字キー２４Ｂを操作すると、表示手段２６に表示中の画像データＳ０の拡大縮小表示を行うことができ、さらに操作ボタン２４Ｄを押下してトリミングモードの枠の移動モードに切り替えると、トリミングの範囲を決定するために表示手段２６に表示される画像の範囲を移動させることができる。
【００４１】
次いで、デジタルカメラ２に画像処理装置１を接続したときの動作について説明する。図５は、デジタルカメラ２に画像処理装置１を接続した際に行われる処理を示すフローチャートである。デジタルカメラ２の制御手段２２により、接続インターフェース２９に画像処理装置１が接続されたか否かの監視が行われており（ステップＳ１１）、ステップＳ１１が肯定されると、デジタルカメラ２のモードが画像処理モードに切り替えられる（ステップＳ１２）。この状態において、操作手段２４は画像処理装置１の操作を実行可能な状態となる。
【００４２】
一方、画像処理装置１は、デジタルカメラ２のバッテリー２７からの電力の供給を受け（ステップＳ３１）、これにより、画像処理装置１は駆動可能な状態となる。
【００４３】
デジタルカメラ２においては、操作手段２４を用いて画像処理を施す画像データＳ０の選択の指示があったか否かの監視が開始され（ステップＳ１３）、ステップＳ１３が肯定されると、選択された画像データＳ０がデータメモリ２８から読み出され（ステップＳ１４）、接続インターフェース２９から画像処理装置１の入出力インターフェース１１に出力される（ステップＳ１５）。
【００４４】
ここで、デジタルカメラ２において取得された画像データＳ０は、圧縮解凍手段２５によりＪＰＥＧ等のフォーマットで圧縮されてデータメモリ２８に記憶されている。一方、画像処理装置１においては、圧縮されていないＲＡＷデータに対してのみ画像処理を施すことが可能である。このため、画像データＳ０は圧縮解凍手段２５において解凍されて画像処理装置１の入出力インターフェース１１に出力される。なお、画像処理装置１が圧縮解凍手段を有する場合には、画像データＳ０は圧縮された状態で画像処理装置１の入出力インターフェース１１に出力される。
【００４５】
画像処理装置１においては、画像データＳ０の入力が受け付けられ（ステップＳ３２）、入力された画像データＳ０に対して画像処理が施されて処理済み画像データＳ１が取得される（ステップＳ３３）。なお、この画像処理は、ＤＳＰ１４に記憶された画像処理アルゴリズムに基づいて行われる。取得された処理済み画像データＳ１は、入出力インターフェース１１からデジタルカメラ２の接続インターフェース２９に出力される（ステップＳ３４）。
【００４６】
デジタルカメラ２においては、処理済み画像データＳ１の入力が受け付けられ（ステップＳ１６）、表示手段２６に表示される（ステップＳ１７）。
【００４７】
この状態において、操作ボタン２４Ｄを押下すると、修正したい画像処理の処理内容を選択することができる。具体的には、操作ボタン２４Ｄを押下することにより、濃度変換処理、ホワイトバランス調整処理、階調変換処理、彩度強調処理、シャープネス処理、高機能の階調変換処理、赤目補正処理、デジタルカメラ２のレンズの歪曲収差を補正する処理および光の反射によるクロス状の反射光を除去する処理等の種類が順次表示手段２６に表示される。ここで、表示された処理の種類が現在選択中の処理となる。
【００４８】
そして、所望とする処理の種類が表示手段２６に表示された状態で十字キー２４Ｂを操作すると、選択中の処理について処理の程度が変更される。具体的には、十字キー２４Ｂによる変更の指示がデジタルカメラ２から画像処理装置１に出力され、変更された処理の程度に基づいて、画像処理装置１のＤＳＰ１４において画像データＳ０に対して再度画像処理が施されて処理済み画像データＳ１′が取得される。なお、十字キー２４Ｂを一度押下する毎に、押下する方向に応じて処理を強くまたは弱くするよう、処理の程度が一段階変更される。
【００４９】
再度取得された処理済み画像データＳ１′はデジタルカメラ２に出力され、処理済み画像データＳ１に代えて処理の程度が変更された処理済み画像データＳ１′が表示手段２６に表示される。
【００５０】
したがって、デジタルカメラ２においては、処理済み画像データＳ１の表示後、十字キー２４Ｂが操作されることにより、処理の程度の変更の指示があったか否かが判定され（ステップＳ１８）、ステップＳ１８が肯定されると、変更指示が画像処理装置１に出力される（ステップＳ１９）。
【００５１】
画像処理装置１においては、変更指示の入力が受け付けられ（ステップＳ３５）、ステップＳ３３に戻り、変更された処理の程度に基づいてステップＳ３３において画像データＳ０に対して画像処理が施され、ステップＳ３４において処理済み画像データＳ１′が取得される。処理済み画像データＳ１′は、デジタルカメラ２に出力され、以下上記と同様にステップＳ１８が否定されるまでステップＳ１６からステップＳ１８の処理が繰り返される。
【００５２】
ステップＳ１８が否定されると、レリーズボタン２４Ａが押下されることにより、画像処理の内容が確定されたか否かが判定される（ステップＳ２０）。ステップＳ２０が否定されるとステップＳ１８に戻る。ステップＳ２０が肯定されると、表示手段２６に現在表示中の処理済み画像データＳ１（Ｓ１′）がデータメモリ２８に記憶される（ステップＳ２１）。なお、処理済み画像データＳ１（Ｓ１′）はこれを得た画像データＳ０に上書きしてもよく、処理済みであることを識別可能なファイル名を付与して画像データＳ０とともに記憶してもよい。
【００５３】
続いて、操作手段２４を用いることによる画像処理モード終了の指示または画像処理装置１をデジタルカメラ２から取り外すことによる画像処理モード終了の指示があったか否かが判定され（ステップＳ２２）、ステップＳ２２が否定されるとステップＳ１３に戻り、ステップＳ１３以降の処理が行われる。ステップＳ２２が肯定されると、処理を終了する。
【００５４】
このように、本実施形態においては、画像処理装置１をデジタルカメラ２に接続すると、デジタルカメラ２の操作手段２４により画像処理装置１の操作を行うようにして、デジタルカメラ２において取得した画像データＳ０に対して画像処理を施すようにしたものである。
【００５５】
このため、デジタルカメラ２に画像処理を行う手段を設けなくても、画像処理を所望するデジタルカメラ２のユーザは、画像処理装置１を用意すれば、デジタルカメラ２により取得した画像データＳ０に対して画像処理を施して、高画質の処理済み画像データＳ１を得ることができる。したがって、必要なユーザのみ、画像処理装置１を用意すれば、普及型のデジタルカメラ２の構成を複雑化することなく、さらには高価格化させることなく、高級機並みに画像データＳ０を高画質化できることとなる。
【００５６】
また、画像処理装置１に画像処理の操作を行うための操作手段を設ける必要がなくなるため、画像処理装置１の構成も簡易なものとすることができる。
【００５７】
また、ＤＳＰ１４に画像処理アルゴリズムを書き換え可能に記憶してるため、日々改良される画像処理アルゴリズムを常に最新のものとすることができる。したがって、最新の画像処理アルゴリズムにより、一層の高画質化を図ることが可能な画像処理を画像データＳ０に対して施すことができる。また、ＤＳＰ１４に画像処理アルゴリズムを記憶することにより画像処理装置１を小型化することができるため、画像処理装置１の携帯に便利である。
【００５８】
なお、上記第１の実施形態においては、画像処理を施す画像データＳ０を選択しつつ、画像処理装置１において画像データＳ０に対して画像処理を行っているが、画像処理装置１とデジタルカメラ２との接続後、画像処理装置１がデータメモリ２８から全ての画像データＳ０を順次読み出して画像処理を施して処理済み画像データＳ１を取得し、データメモリ２８に処理済み画像データＳ１を順次記憶するようにしてもよい。
【００５９】
また、上記第１の実施形態においては、画像処理装置１において、濃度変換処理、ホワイトバランス調整処理、階調変換処理、彩度強調処理、シャープネス処理、高機能の階調変換処理、赤目補正処理、デジタルカメラ２のレンズの歪曲収差を補正する処理および光の反射によるクロス状の反射光を除去する処理等を行っているが、デジタルカメラ２の機種によっては、デジタルカメラ２内において、濃度変換処理、ホワイトバランス調整処理、階調変換処理、彩度強調処理およびシャープネス処理のような一般的な画像処理を画像データＳ０に対して施している場合がある。このため、本実施形態による画像処理装置１がこのような一般的な画像処理を行う機能を有するデジタルカメラ２と接続された場合には、高機能の階調変換処理、赤目補正処理、デジタルカメラ２のレンズの歪曲収差を補正する処理および光の反射によるクロス状の反射光を除去する処理等の高機能画像処理のみを画像データＳ０に対して施すようにすればよい。
【００６０】
次いで、本発明の第２の実施形態について説明する。図６は本発明の第２の実施形態による画像処理装置を接続したデジタルカメラの構成を示す概略ブロック図である。なお、第２の実施形態において第１の実施形態と同一の構成については同一の参照番号を付し、詳細な説明は省略する。
【００６１】
第２の実施形態においては、画像処理装置１をデジタルカメラ２への充電機能を有するクレイドル３０と兼用した点が第１の実施形態と異なる。ここで、第２の実施形態によるクレイドル３０に設けられた画像処理装置１（第１の実施形態と区別するために１′とする）は、第１の実施形態による画像処理装置１と同様に、入出力インターフェース１１、メモリ１３、ＤＳＰ１４および制御手段１５を備える。
【００６２】
一方、第１の実施形態による画像処理装置１の電源手段１２に代えて、電源から電力の供給を受けて、画像処理を実行するための電力を画像処理装置１′に供給するとともに、デジタルカメラ２へ充電用の電力を供給する電源手段１２′を備える。
【００６３】
このように、画像処理装置１′をデジタルカメラ２を充電するクレイドル３０と兼用することにより、デジタルカメラ２を充電する作業の中で、デジタルカメラ２により取得した画像データＳ０に対して画像処理を施すことが可能となる。また、データメモリ２８に記憶された全ての画像データＳ０に対して画像処理を施す設定にしておくことにより、ユーザはデジタルカメラ２をクレイドル３０にセットしさえすれば、充電中にデータメモリ２８に記憶された画像データＳ０の画像処理が完了することとなる。このため、ユーザは画像処理を実行するという意識を持たなくても、単に日々常に行う充電作業の中で、高画質の画像を再生可能な処理済み画像データＳ１を取得することが可能となる。
【図面の簡単な説明】
【図１】本発明の第１の実施形態による画像処理装置を接続したデジタルカメラの構成を示す概略ブロック図
【図２】デジタルカメラの背面側斜視図
【図３】各モードにおける操作手段の機能を示すテーブル
【図４】デジタルカメラにおいて撮影時に行われる処理を示すフローチャート
【図５】デジタルカメラに画像処理装置を接続した際に行われる処理を示すフローチャート
【図６】本発明の第２の実施形態による画像処理装置を接続したデジタルカメラの構成を示す概略ブロック図
【符号の説明】
１，１′　　画像処理装置
２　　デジタルカメラ
１１　　入出力インターフェース
１２，１２′　　電源手段
１３　　メモリ
１４　　ＤＳＰ
１５　　制御手段
２１　　撮像手段
２２　　制御手段
２２Ａ　　メモリ
２３　　フレームメモリ
２４　　操作手段
２５　　圧縮解凍手段
２６　　表示手段
２７　　バッテリー
２８　　データメモリ
２９　　接続インターフェース
３０　　クレイドル
【図１】
2004120422.tif 000003
【図２】
2004120422.tif 000004
【図３】
2004120422.tif 000005
【図４】
2004120422.tif 000006
【図５】
2004120422.tif 000007
【図６】
2004120422.tif 000008